(57)【要約】【課題】筒状の構造用鉄骨柱とメイン梁（構造梁）との接合部にサポートプレートを備えた梁受け金物を使用して一体接合させ、耐震性、耐久性に優れ、自然災害や火災等の災害に強い木造建築物を提供する。【解決手段】本発明は、建物基礎１３の柱脚金物１４上に立設された筒状の構造用鉄骨柱１２と、構造用鉄骨柱１２の側部に固定される梁受け金物３０と、梁受け金物３０に設けられたメイン梁４０とを有し、梁受け金物３０はメイン梁４０の端部を支持するサポートプレート３２を一体に備えたことを特徴とする鉄骨柱と梁の接合構造である。【選択図】  図２
2018184743.tif 000002
【特許請求の範囲】
【請求項１】
建物基礎の柱脚金物上に立設された筒状の構造用鉄骨柱と、
前記構造用鉄骨柱の側部に固定される梁受け金物と、
前記梁受け金物に設けられたメイン梁とを有し、
前記梁受け金物は前記メイン梁の端部を支持するサポートプレートを一体に備えたことを特徴とする鉄骨柱と梁の接合構造。
【請求項２】
前記構造用鉄骨柱は、その基部に柱脚ベースパックが前記柱脚金物上に重ねられ、複数本のアンカーボルトおよびナットにより、前記建物基礎上に緊締されて立設される請求項１に記載の鉄骨柱と梁の接合構造。
【請求項３】
前記構造用鉄骨柱は、角筒状の鉄骨柱エレメントを鋼製の拡開防止板を介して積層させ、一体結合して構成される請求項１または２に記載の鉄骨柱と梁の接合構造。
【請求項４】
前記梁受け金物は、前記構造用鉄骨柱の側面に固定されるベースプレートと、
前記メイン梁の端部を受けて支持するサポートプレートと、
前記メイン梁の端部のスリット溝に係合してガイドするガイドプレートとが、互いに直交するように一体に固定され、
前記サポートプレート上にガイドピンが立設された請求項１に記載の鉄骨柱と梁の接合構造。
【請求項５】
前記ガイドピンは、前記梁受け金物のサポートプレート上に立設され、前記梁受け金物の一側あるいは両側に沿って延設された請求項４に記載の鉄骨柱と梁の接合構造。
【請求項６】
前記梁受け金物は、ベースプレートが前記構造用鉄骨柱の側面に直接あるいは前記構造用鉄骨柱の側面凹部に収容されて固定される請求項４に記載の鉄骨柱と梁の接合構造。
【請求項７】
前記構造用鉄骨柱の頂部に固定の開き防止用のトッププレートに柱脚柱頭金物が設けられ、
前記柱脚柱頭金物に小柱あるいは束が立設された請求項１に記載の鉄骨柱と梁の接合構造。
【請求項８】
前記梁受け金物、柱脚金物および柱脚柱頭金物は、球状黒鉛鋳鉄で鋳造された鋳造品である請求項１に記載の鉄骨柱と梁の接合構造。
【請求項９】
建物基礎の少なくとも４箇所に柱脚金物を設置し、
前記柱脚金物上に柱脚ベースパックを設置し、筒状の構造用鉄骨柱をアンカーボルト、ナットにより緊締してそれぞれ立設し、
前記構造用鉄骨柱の建物各階部分の側部に梁受け金物をそれぞれ固定し、
前記構造用鉄骨柱間で対向する前記梁受け金物にメイン梁を支持させて横架し、
前記メイン梁は、梁受け金物により前記構造用鉄骨柱に接合され、かつ前記梁受け金物のサポートフレームに載置されたことを特徴とする木造建築物。
【請求項１０】
前記構造用鉄骨柱は、角筒状の鉄骨柱エレメントを鋼製の拡開防止板を介して積層させ、一体結合して構成される請求項９に記載の木造建築物。
【請求項１１】
前記梁受け金物は、前記構造用鉄骨柱の側部に固定されるベースプレートと、
前記ベースプレートの下部あるいは底部から延びるサポートプレートと、前記サポートプレートおよびベースプレートと直交するガイドプレートとを一体に備え、前記サポートプレート上にガイドピンが立設された請求項９に記載の木造建築物。
【請求項１２】
前記メイン梁は、梁幅（Ｗ）が１０５ｍｍ〜２４０ｍｍ、梁高さ（Ｈ）が２４０ｍｍ〜６００ｍｍの中から選択される大断面の構造用集成材あるいは不燃材と木材の複合材で構成される構造梁である請求項９に記載の木造建築物。
【請求項１３】
前記メイン梁は、建物１階の構造用鉄骨柱間に横架されるメイン梁の梁高さ（Ｈ）が最も大きく、上層階にいくに従ってメイン梁の梁高さ（Ｈ）が小さくなるように構成された請求項１１または１２に記載の木造建築物。
【発明の詳細な説明】
【技術分野】
【０００１】
本発明は、耐震性、耐久性に優れ、火災等の災害に強い鉄骨柱と梁の接合構造および木造建築物に関する。
【背景技術】
【０００２】
平成１２年の建築基準法の改正に伴い、木造建築物であっても、一定の基準や性能を満たす建築物であれば、高さや規模に対する制限を受けず、より高層な木造建築物の建設が可能となった。木造建築物の高層化の流れを受けて、間口の狭い敷地でも、木造３階建ての住宅を建てられるようにしたものがある。
【０００３】
木造３階建ての木造建築物では、柱や梁に構造用集成材を使用し、構造用柱と梁の接合部に建築用構造材継手として梁受け金物を用いて、建物の剛性や耐久性を向上させたものがある（特許文献１参照）。
【０００４】
また、木造建築物の建物に大断面の構造用部材を使用し、この構造用部材の表面を被覆部材で覆い、木造建築物を耐火構造としたものがある（特許文献２参照）。
（特許文献２参照）。
【先行技術文献】
【特許文献】
【０００５】
【特許文献１】特開２００８−８８７４４号公報
【特許文献２】特開２０１３−２０４２６１号公報
【発明の概要】
【発明が解決しようとする課題】
【０００６】
特許文献１に記載の木造建築物の部材接合構造では、構造用柱に梁受け金物を取り付けるのに、各梁受け金物毎に多数の締付ボルト・ナットが必要となる。しかも、構造用柱に梁受け金物を取り付ける締付ボルトには、内ナットと外ナットの双方を必要とするものもあり、部品点数が非常に多く、梁受け金物の固定に多数の手間隙が必要で、多大の労力と時間を要し、面倒である。
【０００７】
また、特許文献２に記載の木造建築物の耐火構造では、構造用梁材の側面および下面に沿って被覆部材を覆うように配置し、大断面の構造用部材に対して耐火性の付与を容易にした構成が記載されている。しかし、木造建築物の耐火構造では、構造用柱に化粧柱を着脱可能に固定した構成が示されているだけで、構造用柱と構造用梁材の接合構造の剛性を高め、耐震性、耐久性を向上させるための必要な構成は示されていない。
【０００８】
本発明は、上述した事情を考慮してなされたもので、筒状の構造用鉄骨柱と、メイン梁（構造梁）との接合部にサポートプレートを備えた梁受け金物を使用して一体接合させ、耐震性、耐久性に優れ、自然災害や火災等の災害に強い鉄骨柱と梁の接合構造および木造建築物を提供することを目的とする。
【０００９】
本発明の他の目的は、筒状の構造用鉄骨柱と、メイン梁（構造梁）との接合部にサポートプレートを備えた梁受け金物を使用して、木造３階建て以上の高層建物、例えば５階建て、６階建ての木造建物が建設可能な木造建築物を提供することにある。
【課題を解決するための手段】
【００１０】
本発明は、上述した課題を解決するために、建物基礎の柱脚金物上に立設された筒状の構造用鉄骨柱と、前記構造用鉄骨柱の側部に固定される梁受け金物と、前記梁受け金物に設けられたメイン梁とを有し、前記梁受け金物は前記メイン梁の端部を支持するサポートプレートを一体に備えたことを特徴とする鉄骨柱と梁の接合構造を提供する。
【００１１】
また、本発明は、上述した課題を解決するために、建物基礎の少なくとも４箇所に柱脚金物を設置し、前記柱脚金物上に柱脚ベースパックを設置し、筒状の構造用鉄骨柱をアンカーボルト、ナットにより緊締してそれぞれ立設し、前記構造用鉄骨柱の建物各階部分の側部に梁受け金物をそれぞれ固定し、前記構造用鉄骨柱間で対向する前記梁受け金物にメイン梁を支持させて横架し、前記メイン梁は、梁受け金物により前記構造用鉄骨柱に接合され、かつ前記梁受け金物のサポートフレームに載置されたことを特徴とする木造建築物を提供する。
【発明の効果】
【００１２】
本発明は、筒状の構造用鉄骨柱とメイン梁（構造梁）との接合部にサポートフレームを備えた梁受け金物を使用することにより、鉄骨柱と梁の接合強度を向上させ、耐震性、耐久性に優れ、火災等の災害に強い鉄骨柱と梁の接合構造および木造建築物を提供することができる。
【図面の簡単な説明】
【００１３】
【図１】本発明に係る鉄骨柱と梁の接合構造および木造建築物の第１実施形態であって、木造３階建ての建物を示す正面図。
【図２】図１の３階建て建物に用いられる鉄骨柱と梁の接合構造を一部省略して示す図。
【図３】図２のＩＩＩ−ＩＩＩ線に沿う平断面図。
【図４】柱脚柱頭金物を示す斜視図。
【図５】梁受け金物を示す斜視図。
【図６】（Ａ）は構造用鉄骨柱と梁の接合構造を示す部分的な断面図、（Ｂ）は図６（Ａ）のＶＩ−ＶＩ線に沿う側面図。
【図７】構造用鉄骨柱に梁受け金物、メイン梁を取り付ける組付け手順を示すもので、（Ａ）は構造用鉄骨柱に梁受け金物を取り付ける取付直前の斜視図、（Ｂ）は構造用鉄骨柱の梁受け金物にメイン梁を取り付ける取付直前の斜視図、（Ｃ）は構造用鉄骨柱に梁受け金物を介してメイン梁を取り付けた鉄骨柱と梁の接合構造を示す斜視図。
【図８】梁受け金物を用いてメイン梁が構造用鉄骨柱に引寄せ接合されるガイドピンの引寄せ機能を説明するもので、（Ａ）は構造用鉄骨柱に固定の梁受け金物に取り付けられるメイン梁取付直前の斜視図、（Ｂ）はガイドピンのメイン梁引寄せ機能を説明する説明図。
【図９】木造建築物内に設置される床パネルを示す斜視図。
【図１０】梁パネルを示す斜視図。
【図１１】屋根パネルを示す斜視図。
【図１２】（Ａ），（Ｂ）および（Ｃ）は、本発明に係る第１実施形態の変形例を示すもので、図７の（Ａ），（Ｂ）および（Ｃ）にそれぞれ対応する斜視図。
【図１３】本発明に係る鉄骨柱と梁の接合構造および木造建築物の第２実施形態であって、木造４階建ての建物を示す図。
【図１４】木造建築物から途中階の建物内部を省略して示す木造建築物の中央部の縦断面図。
【図１５】図１３のＸＶ−ＸＶ線に沿う平断面図。
【図１６】図１４のＸＶＩ−ＸＶＩ線に沿う平断面図。
【図１７】木造建築物の耐火仕様例を示す表。
【図１８】木造建築物や準耐火建築物の柱と梁の燃えしろを示す表。
【図１９】木造建築物の第２実施形態の変形例を示す建物内部の縦断面図。
【発明を実施するための形態】
【００１４】
以下、本発明の実施形態を、添付図面を参照して説明する。
【００１５】
［第１実施形態］
図１は、本発明の第１実施形態に係る木造３階建ての建物を示す正面図である。
【００１６】
木造３階建ての建物は、狭い敷地でも敷地の広狭に関らず、敷地を有効に活用して３階建ての木造建築物１０を建てることができる。３階建て木造建築物１０は、狭小地に建つ木造住宅では難しかったビルトインガレージ１１を１階部分を造ることができ、また、１階部分を全面開放の店舗スペースとして活用することもできる。
【００１７】
木造建築物１０は、１階部分をビルトインガレージ１１とした例を示す在来軸組立法の建物である。木造建築物１０では一例として、建物敷地の少なくとも４隅部に角筒状の構造用鉄骨柱１２が立設される。鉄骨柱１２は構造用通し柱（メイン柱）として構成されており、敷地内の建物基部１３に、例えば矩形プレート状の柱脚金物１４が設置される。
【００１８】
建物基部１３は、図２および図３に示すように、柱脚主筋１５や異形鉄筋が配筋された鉄筋コンクリート製で構成され、各建物基部１３に埋設されるアンカーボルト１６は複数本、例えば４本ずつ突出している。アンカーボルト１６は、柱脚金物１４から柱脚ベースパック１７を貫いて突出し、締結ナット１８で締結される。締結ナット１８は、例えば、緩み止めを防ぐためのダブルナットで構成される。
【００１９】
柱脚ベースパック１７は、構造用鉄骨柱１２の基部（底部）に一体に固定されており、構造用鉄骨柱１２を立設させることで、鉄骨柱１２は建物基部１３の柱脚金物１４上に堅固に緊締される。構造用鉄骨柱１２は、柱脚金物１４および柱脚ベースパック１７を介して複数本（４本）のアンカーボルト１６および締結ナット１８で強固に緊締され、立設される。
【００２０】
構造用鉄骨柱１２は、建物の各階毎にブロック状をなす角筒状の鉄骨柱エレメント１２ａ，１２ｂ，１２ｃで構成される。各鉄骨柱エレメント１２ａ，１２ｂ，１２ｃは、立設状態で順次積み重ねられて一体に構成され、通し柱が立設される。鉄骨柱エレメント１２ａ，１２ｂ，１２ｃは、シームレスな市販品の角筒状鉄骨柱であり、鉄骨柱エレメント１２ａ，１２ｂ，１２ｃの柱寸法は、１２０ｍｍ角〜３００ｍｍ角×３０００ｍｍ、肉厚６ｍｍ〜１６ｍｍが用いられ、一例として２００ｍｍ角×３０００ｍｍで、肉厚数ｍｍ（例えば９ｍｍ）の構造用鉄骨柱である。
【００２１】
構造用鉄骨柱１２は、建物１階に相当する鉄骨柱エレメント１２ａと、建物２階の鉄骨柱エレメント１２ｂとの間、および建物２階の鉄骨柱エレメント１２ｂと建物３階の鉄骨柱エレメント１２ｃとの間に、矩形状の鋼製の拡開防止板２０ａ，２０ｂ（板厚１０ｍｍ〜２０ｍｍ）が介装され、溶接等の締結手段で固定され、一体化される。拡開防止板２０ａ，２０ｂは、角筒状の構造用鉄骨柱１２の各階毎に節部を設け、角筒状鉄骨柱１２の剛性、強度をより一層向上させている。拡開防止板２０ａ，２０ｂは、建物２階の鉄骨柱エレメント１２ｂの底部（または建物１階の鉄骨柱エレメント１２ａの頂部）および建物３階の鉄骨柱エレメント１２ｃの底部（または建物２階の鉄骨柱エレメント１２ｂの頂部）に、品質管理された工場にて精度高く加工処理され、予め一体に取り付けられている。なお、各鉄骨柱エレメント１２ａ，１２ｂ，１２ｃの中間に、拡開防止板２０ｃ（図６（Ａ）参照）を内設し、中間の拡開防止板２０ｃで構造用鉄骨柱１２の途中の剛性、強度をより向上させるようにしてもよい。
【００２２】
また、構造用鉄骨柱１２は、図２に示すように、通し柱を構成しており、建物３階の鉄骨柱エレメント１２ｃの頂部に拡開防止を兼ねた鋼製のトッププレート２１が一体に固定される。このトッププレート２１上に、図４に示す柱脚柱頭金物２２のベースプレート２３が設置される。柱脚柱頭金物２２は、トッププレート２１に溶接等で固定され、立設されたガイドプレート２４に小柱あるいは束２５がドリフトピン等で固定され、立設される。なお、構造用鉄骨柱１２は、建物敷地に立設された後、建物基部１３の凹部は埋め戻され、建物敷地は地面に面一に整地される。
【００２３】
木造建築物１０の小柱または束２５上に上枠や頭継ぎ（不図示）が横架されて、公知の登り梁（不図示）に屋根パネル２６が敷設され、屋根２７が構成される。この木造建築物１０では、屋根パネル２６下に屋根裏部屋２８が形成される。屋根裏部屋２８内に柱や束を設ける必要がないので、収納スペースを大きく確保することができる。
【００２４】
また、図１および図２に示すように、構造用鉄骨柱１２は建物各階の鉄骨柱エレメント１２ａ，１２ｂ，１２ｃの各上部側の直交する２側面または３側面に梁受け金物３０が溶接やボルト等の締結手段で予め工場で固定され、組み立てられる。梁受け金物３０は、図５に示すように構成され、構造用鉄骨柱１２の建物各階上部側側面に溶接やボルト締め等で固定されるベースプレート３１と、ベースプレート３１の下部あるいは底部から垂直方向に延びるサポートプレート３２と、サポートプレート３２から立上がり、ベースプレート３１に沿って延びるガイドプレート３３とが互いに直交方向に交差して一体に構成される鋳造製品である。
【００２５】
梁受け金物３０は、サポートプレート３２の中央部前側から立上がるロケットピンとしてのガイドピン３４がガイドプレート３３の両側面に沿って固着される。梁受け金物３０のガイドプレート３３には、後述するドリフトピン３５を挿通させる通し孔３６が複数形成されており、ベースプレート３１にも複数の通し孔の開口３７が形成される。梁受け金物３０は、構造用鉄骨柱１２の建物各階の側面に溶接にて固定される例を例示するが、梁受け金物３０はベースプレート３１の開口３７を利用してボルト等で構造用鉄骨柱１２の側面に固定させてもよい。
【００２６】
さらに、木造建築物１０では、図１に示すように、対向する構造用鉄骨柱１２，１２間に木製構造梁であるメイン梁４０が横架される。メイン梁４０は、桧ムク材や大断面の木材の構造用集成材、または不燃材と木材の複合材等で構成される。構造用集成材は、桧、杉、米松、唐松等の樹種材（天然木材）のひき板を、含水率１５％以下まで乾燥させ、複数枚（３枚以上）のひき板をエポキシ樹脂等の接着材を用いて重ね合せ、接着したものである。メイン梁４０は、梁幅（Ｗ）×梁高さ（Ｈ）が、例えば、大断面の構造用集成材が用いられる。構造用集成材は、幅寸法（Ｗ）×高さ寸法（Ｈ）が１０５ｍｍ（〜２４０ｍｍ）×２４０ｍｍ（〜６００ｍｍ）で、Ｗ＜Ｈの寸法関係を保って製作される。梁幅（Ｗ）×梁高さ（Ｈ）が、例えば、１２０ｍｍ×３００ｍｍ，１２０ｍｍ×３８０ｍｍ，１２０ｍｍ×４５０ｍｍ（あるいは１０５ｍｍ×３００ｍｍ，１０５ｍｍ×３８０ｍｍ，１０５ｍｍ×４５０ｍｍ）の大断面のメイン梁４０が用いられる。メイン梁４０の両側に、防火対策として１時間耐火用では、板厚４５ｍｍの集成材または板厚６０ｍｍの無垢材の耐防火被覆材（図示省略）が接着され、設けられる。
【００２７】
メイン梁４０は構造梁としてのラーメン梁であり、メイン梁４０が大断面の構造用集成材あるいは複合材を用いると、万一の火災時に集成材あるいは複合材は表面が焦げると、焦げた表面に炭化層ができ、この炭化層が酸素の供給を遮断し、それ以上の燃焼を食い止める役目を果す。メイン梁４０は表面が焦げるだけなので、構造材としての強度を保つことができ、建物の崩壊を遅延させ、防ぐことができる。
【００２８】
図１に示される木造３階建ての建物では、例えば建物１階のメイン梁４０に１２０ｍｍ×４５０ｍｍ断面の構造用集成材が用いられ、建物２階および建物３階には１２０ｍｍ×３９０ｍｍ，１２０ｍｍ×３００ｍｍ断面の構造用集成材が用いられる。３階建ての建物では、建物１階のメイン梁４０から上層階に向うに従って、メイン梁４０の梁高さ（Ｈ）が漸次低くなるように構成される。建物各階のメイン梁４０には、例えば大断面の構造用集成材がラーメン梁として用いられる。
【００２９】
メイン梁４０に用いられる木製の構造用集成材は、天然のムク材より高い剛性強度を有し、内部は常に乾燥した状態に保たれるため、水分や湿度の影響を受けにくく、反りや歪み、割れの殆ど無い、安定した品質の構造梁が長期に亘り保持される。
【００３０】
天然木材の構造用集成材で構成されたメイン梁４０は、図１，図２および図６ないし図８に示すように、ラーメン梁の構造梁を構成している。メイン梁４０の構造梁は、梁長さが３６００ｍｍあるいは５４００ｍｍのラーメン梁が標準使用材として用いられる。
【００３１】
メイン梁４０の構造用鉄骨柱１２（１２ａ，１２ｂ，１２ｃ）の接合構造は、図７（Ａ），（Ｂ）および（Ｃ）に示すように組み付けられる。
【００３２】
初めに、構造用鉄骨柱１２（１２ａ，１２ｂ，１２ｃ）の建物各階上部側面に、梁受け金物３０が溶接等の締着手段で、図７（Ａ）に示すように固定される。実際には、梁受け金物３０を固定した鉄骨柱エレメント１２ａ，１２ｂ，１２ｃは、予め工場にて精度よく製作される。構造用鉄骨柱１２（１２ａ，１２ｂ，１２ｃ）に固定された梁受け金物３０に構造用ラーメン梁であるメイン梁４０が図７（Ｂ）に示すように側部上方から押し当てられ、落とされて接合される。
【００３３】
メイン梁４０の端部は、梁受け金物３０に接合される際、図８（Ａ）および（Ｂ）に示すように、予め工場のプレカットマシンで成形されたスリット溝４３がガイドプレート３３の上部に沿ってベースプレート３１側に導かれつつ押し当てられ、メイン梁４０の係合ガイド孔４４が梁受け金物３０のガイドピン（ロケットピン）３４の先端側に係合し、この係合状態を保ってメイン梁４０がガイドピン３４に案内されて落されることで、メイン梁４０の端部は、梁受け金物３０のベースプレート３１側に引き寄せられて押圧移動されつつ、サポートプレート３２上にスライド移動して安定的に保持される。
【００３４】
メイン梁４０は、その係合ガイド孔４４が梁受け金物３０のガイドピン３４に係合して案内されつつ引き寄せられて落されることで、梁受け金物３０のサポートプレート３２上に当接して支持される。その際、メイン梁４０の端部底部にプレート受け溝４５が形成されており、メイン梁４０が梁受け金物３０上に当接して支持されるとき、メイン梁４０の底面が梁受け金物３０のサポートプレート３２の底面と面一となるように構成され、梁受け金物３０とメイン梁４０との接合構造の美感が保たれている。
【００３５】
メイン梁４０の端部が構造用鉄骨柱１２に、梁受け金物３０のサポートプレート３２上に載置され、ガイドピン３４で抜止めされた状態で、図７（Ｃ）に示すように複数のドリフトピン３５が打たれて一体的に結合され、メイン梁４０は角筒状の構造用鉄骨柱１２に強固に安定的に接合されて構造梁を構成したラーメン梁となる。
【００３６】
メイン梁４０の端部には（梁受け金物３０の）ガイドプレート３３の各通し孔３６にそれぞれ対応した位置に各ピン孔４６が形成される。構造用鉄骨柱１２の梁受け金物３０にメイン梁４０が支持された状態で、各ピン孔４６の一方側から複数のドリフトピン３５（図８参照）が打たれてメイン梁４０の抜止めが行なわれ、メイン梁４０は角筒状の構造用鉄骨柱１２（１２ａ，１２ｂ，１２ｃ）に強固に結合される。
【００３７】
また、メイン梁４０に直交するように、図示しない床梁が梁受け金具（不図示）を介して接合される建物各階のメイン梁４０と床梁の上面が面一に構成され、メイン梁４０と床梁上に図９に示される構造用の床パネル４８が敷設される。構造用の床パネル４８の敷設により木造建築物１０は、建物２階以上の床面が構成される。
【００３８】
このようにして、図１に示すように、建物各階のメイン梁４０は、その両端部が対向する角筒状の構造用鉄骨柱１２（１２ａ，１２ｂ，１２ｃ）に、梁受け金物３０を用いて一体的に結合され、強固な接合構造となり、構造梁のラーメン梁を構成している。メイン梁４０は、大断面の天然木材の構造用集成材を使用し、構造用鉄骨柱１２に梁受け金物３０を用いてメイン梁４０を構造用鉄骨柱１２に固定させ、門型ラーメン構造の木造建築物１０とすることで、接合強度を向上させ、耐震性、耐久性を向上させることができる。
【００３９】
また、第１実施形態に用いられる軸組み構造の木造建築物１０では、柱脚金物１４、柱脚柱頭金物２２および梁受け金物３０に球状黒鉛鋳鉄（ダクタイル）等の鋳物材料が製作された鋳物製品や鉄鋼製品が使用される。
【００４０】
さらに、図１に示される木造建築物１０は、角筒状の構造用鉄骨柱１２に固定の梁受け金物３０に大断面の木製構造梁のメイン梁４０を一体接合させた軸組みを、床パネル４８、壁パネル４９および屋根パネル２６で支えるパネル組立構造で構成した建物である。特に、建物基部１３の柱脚金物１４に堅固に立設された構造用鉄骨柱１２に固定の梁受け金物３０に、大断面のメイン梁４０を一体接合させた軸組みに、床パネル（４８）および壁パネル（４９）で支えるボックス組立構造を建物内に構成したものである。
【００４１】
床パネル４８は、図９に示すように、在来軸組立法の約１０倍の強度を有する厚さ数１０ｍｍ（例えば２８ｍｍ）の構造用床パネルが採用され、構造梁のメイン梁４０や床梁（不図示）上に設置される。床パネル４８のパネル寸法は、一例として厚さ数１０（２８）ｍｍで縦・横が３０００（３６００，２７２０，２０００，１８２０）ｍｍ×１２２０（１０００，９１０）ｍｍである。床パネル４８は、ピアノ等の重量物に耐える強度を有する構造用床パネルである。
【００４２】
また、壁パネル４９と屋根パネル２６は、硬質ウレタン、発泡スチロール等の断熱材５０を一体化し、木質系ボード５２で覆った断熱パネルである。符号５３は材木あるいは管柱である。壁パネル４９は窓等の開口部、床パネル４８は柱位置に合せてプレカットされる。
【００４３】
さらに、屋根パネル２６は、２枚の構造用合板５４，５４間に断熱材５０を挟み込んだものである。屋根パネル２６は、屋根２７の取合いに合せてプレカットされる。特に屋根パネル２６のプレカットマシン（不図示）は三次元形状のカットが可能で、複雑な屋根形状に対応することができる。符号５５は桟材である。
【００４４】
このように、床パネル４８、壁パネル４９および屋根パネル２６は、プレカットマシンにより複雑な形状に予めプレカットされる。
【００４５】
そして、図１に示される木造３階建ての木造建築物１０は、前述したように建物基部１３の柱脚金物１４上で堅固に立設された角筒状の構造用鉄骨柱１２に、梁受け金物３０が予め固定され、この梁受け金物３０に、構造梁（ラーメン梁）である大断面のメイン梁４０を一体に接合される軸組みを、床パネル４８および壁パネル４９あるいは屋根パネル２６で支えるボックス構造に構成される。現在まで数多くの破壊試験や国立研究開発法人防災科学技術研究所での公開大耐震試験では、阪神淡路大震災の２倍（１６００ガル）以上の激震や、伊勢湾台風クラス（６０ｍ／ｓｅｃ）の暴風に耐えることがわかっている。壁パネル４９に、例えば厚さ９ｍｍの構造用合板５１と厚さ５０ｍｍの硬質ウレタン製の断熱材５０を用いたものでは、壁倍率２．９倍の強度を有することが知られている。
【００４６】
また、メイン梁４０は、梁受け金物３０により構造用鉄骨柱１２に一体的に接合される。梁受け金物３０に一体のサポートプレート３２は、メイン梁４０の端部下部の位置決めを確実にして、メイン梁４０を安定的に保持するので、構造用鉄骨柱１２とメイン梁４０との接合部の剪断力を高め、梁受け金物３０周囲のメイン梁４０の割れを防止したり、軸組みの初期剛性と地震後の復元力を高める機能を有する。
【００４７】
さらに、梁受け金物３０のサポートプレート３２は、メイン梁４０のスリット溝４３の下部を塞ぎファイヤストップ対策を施すことができるので、火災時の炎の拡散を防ぐことができ、ファイヤストップ効果で木造建築物１０の倒壊を防ぐことができることが確認されている。構造用鉄骨柱１２と構造梁のメイン梁４０とを梁受け金物３０を用いて一体的に接合した木造建築物１０は、耐震性、耐久性に優れ、火災や地震の災害に強い建物となる。
【００４８】
［第１実施形態の変形例］
第１実施形態の木造建築物１０では、角筒状の構造用鉄骨柱１２の側面に梁受け金物３０を溶接等で固定し、この梁受け金物３０に構造梁のメイン梁４０を一体的に接合させた建物の例を示したが、木造建築物１０の建物基部１３の柱脚金物１４上に強固に立設される角筒状の構造用鉄骨柱１２の側部に梁受け凹部５８を一体に凹設し（図１２（Ａ））、この梁受け凹部５８に梁受け金物３０のベースプレート３１を嵌合させてボルト締めしたり、あるいはプレート周囲を溶接等で一体に固定させてもよい（図１２（Ｂ））。
【００４９】
図１２（Ｂ）に示すように、角筒状の構造用鉄骨柱１２に固定された梁受け金物３０に構造梁であるメイン梁４０の端部を近付けて下方に落とし込むことで、メイン梁４０はガイドピン３４に案内されてスライド下降してサポートプレート３２上に支持され、図１２（Ｃ）に示すように接合される。その後、複数のドリフトピン３５をピン孔４６から打ち込むことにより、メイン梁４０は梁受け金物３０に一体的に結合され、構造用鉄骨柱１２に強固に接合される。
【００５０】
木造建築物１０の他の構成は、図１ないし図１１に示すものと異ならないので、説明を省略する。
【００５１】
［第２実施形態］
次に、高層建物に適用される鉄骨柱と梁の接合構造および木造建築物の第２実施形態を添付図面を参照して説明する。
【００５２】
図１３は、本発明に係る木造建築物の第２実施形態を、４階建ての木造建築物に適用した例を示し、図１４は、図１３に示される木造建築物から、途中階の建物内部を省略して示す木造建築物の中央部の縦断面図である。
【００５３】
図１３および図１４に示される木造建築物６０は、構造用柱として、例えば角筒状の構造用鉄骨柱６１が立設される。構造用鉄骨柱６１は、メイン柱の通し柱として構成されており、敷地内の建物基部６３に、例えば矩形プレート状の柱脚金物６４が設置される。建物基部６３は、図１５および図１６に示すように、異形鉄筋や柱脚鉄筋６５が配筋された鉄筋コンクリート製で、各建物基部６３に埋設されるアンカーボルト６６は、複数本、例えば４本ずつ突出している。アンカーボルト６６は、柱脚金物６４および構造用鉄骨柱６１基部の柱脚ベースパック６７を貫いて突出し、締結ナット６８で緊締される。締結ナット６８は、緩み止め防止のためにダブルナットで構成される。
【００５４】
構造用鉄骨柱６１は、建物の各階毎にブロック状をなす鉄骨柱エレメント６１ａ，６１ｂ，６１ｃ，６１ｄが立設状態で順次積み上げて一体に構成され、通し柱が立設される。鉄骨柱エレメント６１ａ〜６１ｄの柱寸法は、１２０ｍｍ角〜３００ｍｍ角の矩形断面で長さ３０００ｍｍ程度、肉厚数ｍｍ〜１０数ｍｍの角筒状鉄骨柱エレメントが用いられる。一例として、鉄骨柱エレメント６１ａ〜６１ｄは、２５０ｍｍ角で肉厚９ｍｍ、長さ３０００ｍｍのシームレスな角筒状鉄骨柱で構成される。
【００５５】
構造用鉄骨柱６１は、建物１階に相当する鉄骨柱エレメント６１ａと、建物２階の鉄骨柱エレメント６１ｂとの間、および建物２階の鉄骨柱エレメント６１ｂと建物３階の鉄骨柱エレメント６１ｃとの間、建物３階の鉄骨柱エレメント６１ｃと建物４階の鉄骨柱エレメント６１ｄとの間に、矩形状の鋼製の拡開防止板７０ａ，７０ｂ，７０ｃ（板厚１０ｍｍ〜２０ｍｍ）が介装され、溶接等の締結手段で一体化され、固定される。拡開防止板７０ａ，７０ｂ，７０ｃは、角筒状の構造用鉄骨柱６１の建物各階毎に節部を形成し、角筒状の構造用鉄骨柱６１の剛性、強度を向上させている。
【００５６】
拡開防止板７０ａ，７０ｂ，７０ｃは、建物２階、３階および４階の鉄骨柱エレメント６１ｂ，６１ｃ，６１ｄの底部または建物１階、２階および３階の頂部に、品質管理された工場にて精度高く溶接等で加工処理され、予め一体に固定されている。
【００５７】
また、構造用鉄骨柱６１は、図３に示すように、建物４階の鉄骨柱エレメント６１ｄの頂部に拡開防止を兼ねた鋼製のトッププレート７１が一体に固定される。このトッププレート７１上に、柱脚柱頭金物７２のベースプレートが設置される。柱脚柱頭金物７２は、トッププレート７１に溶接等で固定され、図２に示す柱脚柱頭金物２２と同様、柱脚柱頭金物７２の立設されたガイドプレートに小柱あるいは束７４がドリフトピン等で固定され、立設される。
【００５８】
木造建築物６０の小柱または束７４上に上枠や頭継ぎ（不図示）が横架されて公知の登り梁（不図示）に屋根パネル２６（図１１）が敷設され、屋根７５が構成される。
【００５９】
また、図１３および図１４に示すように、建物基部６３上に土台７６が敷設される。土台７６は、鉄筋コンクリート製の建物基部６３上にアンカーボルト７７およびナットにより締め付けられて、ボルト締めで一体に固定される。土台７６には図示しない床梁や胴差が設けられ、床梁や胴差上に図９に示される床パネル４８が設置される。
【００６０】
図１３および図１４に示された構造用鉄骨柱６１は、建物各階の鉄骨柱エレメント６１ａ，６１ｂ，６１ｃ，６１ｄの各上部側側面に梁受け金物８０が溶接やボルト等の締結手段で固定される。梁受け金物８０は、構造用鉄骨柱６１が木造建築物６０の建物コーナ部に位置する場合には、建物各階の鉄骨柱エレメント６１ａ，６１ｂ，６１ｃ，６１ｄの各上部側の直交する２側面に、木造建築物６０の建物中間部に位置する場合には、外側面を除く鉄骨柱エレメント６１ａ，６１ｂ，６１ｃ，６１ｄの各上部側３側面に、また、木造建築物６０の建物内部に位置する場合には、鉄骨柱エレメント６１ａ，６１ｂ，６１ｃ，６１ｄの各上部側４側面に、それぞれ固定される。梁受け金物８０は、図５に示される梁受け金物３０と同じ形状、構造を有し、構造用鉄骨柱６１の建物各階の上部側側面に溶接等で固定される。梁受け金物８０は、図５に示される梁受け金物３０と同様、ベースプレート、サポートプレート、ガイドプレートとが互いに直交方向に交差して、一体に構成される鋳造製品あるいは鉄鋼製品である。
【００６１】
図１３の構造用鉄骨柱６１に固定される梁受け金物８０には、図５に示される梁受け金物３０と同様、ガイドピンやドリフトピンを通す通し孔や開口が設けられる。
【００６２】
また、木造建築物６０では、図１３および図１４に示すように、対向する構造用鉄骨柱６１，６１間に木製構造梁であるメイン梁８１が横架される。メイン梁８１は、第１実施形態に示されるメイン梁４０と同様、大断面の天然木材の構造用集成材または不燃材と木材の複合材等で構成される。構造用集成材は、天然木材のひき板と含水率１５％以下まで乾燥させ、数枚から１０数枚のひき板、例えば１０枚のひき板を重ね合せ、エポキシ樹脂等の接着剤を用いて接着させたものである。構造用集成材は、多数の角柱状ひき棒を束ねて接着剤で角柱状に接着させたものでもよい。
【００６３】
メイン梁８１は、梁幅（Ｗ）×梁高さ（Ｈ）が大断面の、例えば構造用集成材で構成される。構造用集成材の梁幅（Ｗ）×梁高さ（Ｈ）は、Ｗ＜Ｈの寸法関係を保って、梁寸法（Ｗ×Ｈ）１０５ｍｍ（〜１８０ｍｍ）×３００ｍｍ（〜６００ｍｍ）の構造梁が選択的に使用される。
【００６４】
図１３に示される４階建ての木造建築物６０では、例えば建物１階のメイン梁８１に１２０ｍｍ×６００ｍｍの大断面の構造用集成材が用いられ、建物２階、建物３階および建物４階には、それぞれ１２０ｍｍ×４５０ｍｍ、１２０ｍｍ×３８０ｍｍおよび１２０ｍｍ×３００ｍｍの大断面の構造用集成材が用いられる。４階建ての木造建築物６０では、建物１階の構造梁であるメイン梁８１から上層階に向うに従って、メイン梁８１の梁高さ（Ｈ）が漸次低くなるように構成される。建物の各階のメイン梁８１には、大断面の構造用集成材が構造梁（ラーメン梁）として用いられる。
【００６５】
また、建物各階のメイン梁８１には、図１４に示すように、床梁８２が梁受け金物（不図示）を経て直交するように接合され、メイン梁８１と床梁８２の上面が面一（平面）となるように配設される。建物各階のメイン梁８１および床梁８２上に図９に示される構造用の床パネル４８が敷設される。建物４階（最上階）のメイン梁８１および床梁８２上には、構造用の床パネル４８より肉薄で、例えば、肉厚２０ｍｍ程度の床パネル８３が敷設され、天井裏部屋８４が構成される。
【００６６】
図１３および図１４に示される木造建築物６０は、角筒状の構造用鉄骨柱６１に固定の梁受け金物８０に大断面の木製構造梁のメイン梁８１を一体接合させた軸組み構造の建物である。４階建ての建物の木造建築物６０は、図９に示す構造用の床パネル４８や床パネル８３、図１０に示す壁パネル４９および図１１に示す屋根パネル２６等が支えるパネル組立構造で構成した建物である。特に、建物基部６３の柱脚金物６４に堅固に固定された構造用鉄骨柱６１に固定の梁受け金物８０に、大断面のメイン梁８１を、構造梁を構成するラーメン梁で一体接合した軸組み構造に、構造用の床パネル（４８）、壁パネル４９で支えるボックス組立構造を建物内に構成したものである。
【００６７】
また、構造用の床パネル４８、屋根裏の床パネル８３、壁パネル４９および屋根パネル２６は、三次元のプレカットマシン（不図示）で三次元形状にプレカットされる。構造用の床パネル４８は、構造用鉄骨柱６１の各柱位置に、壁パネル４９は、窓等の開口部に合せてそれぞれプレカットされる。このように、構造用の床パネル４８、床パネル８３、壁パネル４９および屋根パネル２６等はプレカットマシンにより複雑な形状に、品質管理された工場で精度高くプレカットされる。
【００６８】
さらに、木造建築物６０の４階建て建物は、建物外壁周りに立設される角筒状の構造用鉄骨柱６１は、少なくとも建物室内側に防耐火被覆材８５あるいは化粧板がアクリル樹脂等の接着剤で接着され、被覆される。さらに、４階建ての建物内部に立設される構造用鉄骨柱６１には、全周面に亘り外側から防耐火被覆材８５あるいは化粧板が接着剤で接着され、被覆される。防耐火被覆材８５は、化粧板を兼ねている。
【００６９】
また、防耐火被覆材８５は、市販品で構成され、構造用鉄骨柱６１や木製のメイン梁等に接着剤で接着され、被覆状態で使用される。市販品の耐火１時間用の被覆材として、構造用鉄骨柱６１には、例えばクリオン株式会社製のクリオンエースボード（ＦＤ０６０ＣＮ−９４０５）、旭化成建材株式会社製のヘーベルライト（ＦＰ０６０ＣＮ−９４５）、住友金属鉱山シボレックス株式会社製のシボレックス（ＦＰ０６０ＣＮ−９４０５）等の防耐火被覆材８５がある。
【００７０】
さらに、木造建築物６０の木造柱、梁、床、壁用に耐火１時間用被覆材として、防耐火被覆材がある。この防耐火被覆材は、強化石膏ボード２枚以上で厚さ計４２ｍｍ以上を両面に重ねて構成される。
【００７１】
ところで、建築基準法では、「１時間耐火」が認められた木材は４階建て迄で、「２時間耐火」は１４階建て迄の建物に木材を使用することができる。（高層建物の）一般の木造建築物における建築基準法上の耐火仕様は、建物の適用階に応じて用いられ、図１７に示すように適合する耐火時間が定められている。
【００７２】
また、準耐火建築物や一般の木造建築物の柱や梁の燃えしろ深さは、図１８に示すように規定されている（Ｓ６２建告第１９０２号、改正  Ｈ１６国告第３３３号）。
【００７３】
集成材や積層材を使用した場合、準耐火建築物の柱や梁の燃えしろは、１時間耐火で４５ｍｍ、４５分耐火で３５ｍｍである。一般の木造建築物の柱や梁の燃えしろは、３０分耐火で２５ｍｍである。
【００７４】
ところで、第２実施形態に示された４階建ての木造建築物６０は、建物基部６３上に立設される各構造用鉄骨柱６１を、柱脚金物６４に柱脚ベースパック６７および複数本（４本）のアンカーボルト６６、締結ナット６８を用いて緊締し、立設される。立設された構造用鉄骨柱６１には固定の梁受け金物８０に構造梁のメイン梁８１が、第１実施形態に示された木造建築物１０と同様接合され、一体化される。
【００７５】
各構造用鉄骨柱６１は、建物基部６３の土台部分で、地震や台風等の自然災害による引抜き力を受けても、建物基部６３に柱脚金物６４、柱脚ベースパック６７および複数（４本）のアンカーボルト６６等で緊締され、堅固に固定される。
【００７６】
また、構造梁である大断面のメイン梁８１は、構造用鉄骨柱６１に固定の梁受け金物８０を用いて堅固に接合され、一体化される。しかも、梁受け金物８０は構造梁であるメイン梁８１の端部をサポートプレート上に載置して支持する。梁受け金物８０のサポートプレートは、梁受け金物８０のガイドプレートに案内されるメイン梁８１のスリット溝の下部を塞いでいる。したがって、万一の火災時には、梁受け金物８０のサポートプレートが、メイン梁８１のスリット溝を塞ぎ、ファイヤストップ効果が作用するので、メイン梁８１の落下を防ぐことができ、建物の倒壊を防止することができる。さらに、角筒状の構造用鉄骨柱６１は建物各階の隣接する鉄骨柱エレメント６１ａ〜６１ｄ同士が拡開防止板で一体に固定されるので、構造用鉄骨柱６１は建物各階毎に節部ができ、開き止めされるので、剛性や強度を向上させることができる。
【００７７】
さらに、角筒状の構造用鉄骨柱６１と構造梁のメイン梁８１とを梁受け金物８０を介して強固に接合しており、梁受け金物８０は構造用鉄骨柱６１とメイン梁８１との接合部分の剪断力を高めることができる。梁受け金物８０によりメイン梁８１の割れを防止でき、軸組み構造の初期剛性と地震後の復元力を高めることができる。
【００７８】
加えて、図１３および図１４に示される４階建ての木造建築物６０は、建物基部６３の柱脚金物６４上にアンカーボルト６６、締結ナット６８で緊締された角筒状の構造用鉄骨柱６１が立設され、この構造用鉄骨柱６１に固定された梁受け金物８０に大断面のメイン梁８１が接合される。したがって、建物基部６３の柱脚金物６４上に緊締された構造用鉄骨柱６１やこの構造用鉄骨柱６１に梁受け金物８０により接合されたメイン梁８１を備えた木造建築物６０は、激震にもびくつかない耐震性と耐久性とを備えた木造建築物の建物を提供することができる。
【００７９】
したがって、４階建ての建物を木造建築物６０としても、第１実施形態に示された３階建ての木造建築物１０と同様に、耐久性、耐震性のある建物を提供することができる。加えて、公共建築物木材利用促進法が２０１０年に施行されたのに伴い、木造の公共施設が増えており、一般住宅においても、木造建築物６０に３階建ての建物のみならず、４階建ての建物が増加している。
【００８０】
［第２実施形態の変形例］
第２実施形態に示された木造建築物６０では、建物内部に立設される角筒状の構造用鉄骨柱６１は、図１４に示すように、鉄骨柱６１の両側に構造梁のメイン梁８１を梁受け金物８０を介して一体に接合させた建物の例を示したが、建物の態様によっては、木造建築物６０Ａを図１９に示すように構成してもよい。
【００８１】
第２実施形態の変形例に示される木造建築物６０Ａは、建物内部に立設される角筒状の構造用鉄骨柱６１はその鉄骨柱６１の一側に構造梁のメイン梁８１を梁受け金物８０を介して接合し、鉄骨柱６１の他側に構造梁ではない小梁８６をサポートプレートを備えない梁受け金物８７で一体に接合したものである。小梁８６の梁高さは、構造梁であるメイン梁８１の梁高さより低く、例えば２４０ｍｍである。小梁８６は、床梁等を構成している。小梁８６は、土台７６上に立設される管柱あるいは小柱８８で支持される。
【００８２】
図１９に示された木造建築物６０Ａの他の構成は、第２実施形態に示されたものと異ならないので、説明を省略する。
【００８３】
［他の実施形態］
本発明に係る木造建築物の各実施形態では、３階建ておよび４階建て建物の木造建築物を説明したが、本発明は５階建てや６階建ての高層建物の木造建築物に適用してもよい。
【００８４】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【００８５】
１０…木造建築物、１１…ビルトインガレージ（店舗スペース）、１２…構造用鉄骨柱、１２ａ，１２ｂ，１２ｃ…鉄骨柱エレメント、１３…建物基部、１４…柱脚金物、１６…アンカーボルト、１７…柱脚ベースパック、１８…締結ナット、２０ａ，２０ｂ…拡開防止板、２１…トッププレート、２２…柱脚柱頭金物、２３…ベースプレート、２４…ガイドプレート、２５…小柱（束）、２６…屋根パネル、２７…屋根、２８…屋根裏部屋、３０…梁受け金物、３１…ベースプレート、３２…サポートプレート、３３…ガイドプレート、３４…ガイドピン（ロケットピン）、３５…ドリフトピン、３６…通し孔、３７…開口、４０…メイン梁（構造梁、ラーメン梁）、４３…スリット溝、４４…係合ガイド孔、４５…プレート受け溝、４６…ピン孔、４８…床パネル、４９…壁パネル、５０…断熱材、５１，５４…構造用合板、５３…材木（管柱）、５８…梁受け凹部、６０，６０Ａ…木造建築物、６１…構造用鉄骨柱、６１ａ，６１ｂ，６１ｃ，６１ｄ…鉄骨柱エレメント、６３…建物基部、６４…柱脚金物、６５…柱脚鉄筋、６６…アンカーボルト、６７…柱脚ベースパック、６８…締結ナット、７０ａ，７０ｂ，７０ｃ，７０ｄ…拡開防止板、７１…トッププレート、７４…小柱，束、７５…屋根、７６…土台、７７…アンカーボルト、８０…梁受け金物、８１…メイン梁、８２…床梁、８３…床パネル、８４…天井裏部屋、８６…小梁（床梁）、８７…梁受け金物、８８…管柱，小柱。
【図１】
2018184743.tif 000003
【図２】
2018184743.tif 000004
【図３】
2018184743.tif 000005
【図４】
2018184743.tif 000006
【図５】
2018184743.tif 000007
【図６】
2018184743.tif 000008
【図７】
2018184743.tif 000009
【図８】
2018184743.tif 000010
【図９】
2018184743.tif 000011
【図１０】
2018184743.tif 000012
【図１１】
2018184743.tif 000013
【図１２】
2018184743.tif 000014
【図１３】
2018184743.tif 000015
【図１４】
2018184743.tif 000016
【図１５】
2018184743.tif 000017
【図１６】
2018184743.tif 000018
【図１７】
2018184743.tif 000019
【図１８】
2018184743.tif 000020
【図１９】
2018184743.tif 000021
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
鉄筋コンクリート製の建物基礎の柱脚金物上に立設された筒状の構造用鉄骨柱と、
前記構造用鉄骨柱の側部に固定される梁受け金物と、
前記梁受け金物に設けられた木製構造梁のメイン梁とを有し、
前記梁受け金物は、前記構造用鉄骨柱の側面に固定されるベースプレートと、
前記メイン梁の端部を受けて支持するサポートプレートと、
前記メイン梁の端部のスリット溝に係合してガイドするガイドプレートとが、互いに直交するように一体に構成され、
前記サポートプレート上にガイドピンが立設される一方、前記ガイドプレートに複数の通し孔が形成され、
前記メイン梁の端部には、前記ガイドプレートの各通し孔に対応した位置にピン孔が形成され、
前記メイン梁は、その係合ガイド孔が前記ガイドピンに係合して抜止めされ、かつ複数のドリフトピンが前記ピン孔から前記ガイドプレートの通し孔に挿通され、抜止めされてラーメン梁が構成されたことを特徴とする鉄骨柱と梁の接合構造。
【請求項２】
前記構造用鉄骨柱は、その基部に固定の柱脚ベースパックが前記柱脚金物上に重ねられ、
前記建物基礎から前記柱脚金物および前記柱脚ベースパックを貫いて突出するアンカーボルト・ナットにより、前記柱脚金物および前記柱脚ベースパックを固定し、
前記構造用鉄骨柱は、前記建物基礎上に緊締されて立設される請求項１に記載の鉄骨柱と梁の接合構造。
【請求項３】
前記構造用鉄骨柱は、角筒状の鉄骨柱エレメント上に鋼製の拡開防止板を介して角筒状の鉄骨柱エレメントを積み重ね、一体結合して構成される請求項１または２に記載の鉄骨柱と梁の接合構造。
【請求項４】
前記ガイドピンは、前記梁受け金物のサポートプレート上に立設され、前記梁受け金物の一側あるいは両側に沿って延設された請求項１に記載の鉄骨柱と梁の接合構造。
【請求項５】
前記梁受け金物は、前記ベースプレートが前記構造用鉄骨柱の側面に直接あるいは前記構造用鉄骨柱の側面凹部に収容されて固定される請求項１に記載の鉄骨柱と梁の接合構造。
【請求項６】
前記構造用鉄骨柱の頂部に固定の開き防止用のトッププレートに柱脚柱頭金物が設けられ、
前記柱脚柱頭金物に小柱あるいは束が立設された請求項１に記載の鉄骨柱と梁の接合構造。
【請求項７】
前記梁受け金物、前記柱脚金物および前記柱脚柱頭金物は、球状黒鉛鋳鉄で鋳造された鋳造品である請求項６に記載の鉄骨柱と梁の接合構造。
【請求項８】
鉄筋コンクリート製の建物基礎の少なくとも４箇所に柱脚金物を設置し、
前記柱脚金物上に、筒状の構造用鉄骨柱の基部に固定の柱脚ベースパックを重ねて設置し、
前記建物基礎から前記柱脚金物および前記柱脚ベースパックを貫いて突出するアンカーボルト・ナットにより前記柱脚金物および前記柱脚ベースパックを固定し、前記構造用鉄骨柱を前記建物基礎にそれぞれ立設し、
前記構造用鉄骨柱の建物各階部分の側部に梁受け金物をそれぞれ固定し、
前記構造用鉄骨柱間で対向する前記梁受け金物に木製構造梁のメイン梁を支持させて横架し、
前記梁受け金物は、前記構造用鉄骨柱の側部に固定されるベースプレートと、
前記メイン梁の端部を受けて支持するサポートプレートと、
前記メイン梁の端部のスリット溝に係合してガイドするガイドプレートとが、互いに直交するように一体に構成され、
前記サポートプレート上にガイドピンが立設される一方、前記ガイドプレートに複数の通し孔が形成され、
前記メイン梁の各端部には、前記ガイドプレートの各通し孔に対応した位置にピン孔が形成され、
前記メイン梁は、その係合ガイド孔が前記ガイドピンに係合して抜止めされ、かつ複数のドリフトピンが前記ピン孔から前記ガイドプレートの通し孔に挿通されて抜止めされ、
前記メイン梁は、前記梁受け金物により前記構造用鉄骨柱に接合され、かつ前記梁受け金物のサポートフレームに載置されてラーメン梁が構成されることを特徴とする木造建築物。
【請求項９】
前記構造用鉄骨柱は、角筒状の鉄骨柱エレメント上に鋼製の拡開防止板を介して角筒状の鉄骨柱エレメントを積み重ね、一体結合して構成される請求項８に記載の木造建築物。
【請求項１０】
前記メイン梁は、梁幅（Ｗ）が１０５ｍｍ〜２４０ｍｍ、梁高さ（Ｈ）が２４０ｍｍ〜６００ｍｍの中から選択される大断面の構造用集成材あるいは不燃材と木材の複合材で構成される構造梁である請求項８に記載の木造建築物。
【請求項１１】
前記メイン梁は、建物１階の構造用鉄骨柱間に横架されるメイン梁の梁高さ（Ｈ）が最も大きく、上層階にいくに従ってメイン梁の梁高さ（Ｈ）が小さくなるように構成された請求項８または１０に記載の木造建築物。
【手続補正２】
【補正対象書類名】明細書
【補正対象項目名】００１０
【補正方法】変更
【補正の内容】
【００１０】
本発明は、上述した課題を解決するために、鉄筋コンクリート製の建物基礎の柱脚金物上に立設された筒状の構造用鉄骨柱と、前記構造用鉄骨柱の側部に固定される梁受け金物と、前記梁受け金物に設けられた木製構造梁のメイン梁とを有し、前記梁受け金物は、前記構造用鉄骨柱の側面に固定されるベースプレートと、前記メイン梁の端部を受けて支持するサポートプレートと、前記メイン梁の端部のスリット溝に係合してガイドするガイドプレートとが、互いに直交するように一体に構成され、前記サポートプレート上にガイドピンが立設される一方、前記ガイドプレートに複数の通し孔が形成され、前記メイン梁の端部には、前記ガイドプレートの各通し孔に対応した位置にピン孔が形成され、前記メイン梁は、その係合ガイド孔が前記ガイドピンに係合して抜止めされ、かつ複数のドリフトピンが前記ピン孔から前記ガイドプレートの通し孔に挿通され、抜止めされてラーメン梁が構成されたことを特徴とする鉄骨柱と梁の接合構造を提供する。
【手続補正３】
【補正対象書類名】明細書
【補正対象項目名】００１１
【補正方法】変更
【補正の内容】
【００１１】
また、本発明は、上述した課題を解決するために、鉄筋コンクリート製の建物基礎の少なくとも４箇所に柱脚金物を設置し、前記柱脚金物上に、筒状の構造用鉄骨柱の基部に固定の柱脚ベースパックを重ねて設置し、前記建物基礎から前記柱脚金物および前記柱脚ベースパックを貫いて突出するアンカーボルト・ナットにより前記柱脚金物および前記柱脚ベースパックを固定し、前記構造用鉄骨柱を前記建物基礎にそれぞれ立設し、前記構造用鉄骨柱の建物各階部分の側部に梁受け金物をそれぞれ固定し、前記構造用鉄骨柱間で対向する前記梁受け金物に木製構造梁のメイン梁を支持させて横架し、前記梁受け金物は、前記構造用鉄骨柱の側部に固定されるベースプレートと、前記メイン梁の端部を受けて支持するサポートプレートと、前記メイン梁の端部のスリット溝に係合してガイドするガイドプレートとが、互いに直交するように一体に構成され、前記サポートプレート上にガイドピンが立設される一方、前記ガイドプレートに複数の通し孔が形成され、前記メイン梁の各端部には、前記ガイドプレートの各通し孔に対応した位置にピン孔が形成され、前記メイン梁は、その係合ガイド孔が前記ガイドピンに係合して抜止めされ、かつ複数のドリフトピンが前記ピン孔から前記ガイドプレートの通し孔に挿通されて抜止めされ、前記メイン梁は、前記梁受け金物により前記構造用鉄骨柱に接合され、かつ前記梁受け金物のサポートフレームに載置されてラーメン梁が構成されることを特徴とする木造建築物を提供する。
【手続補正４】
【補正対象書類名】明細書
【補正対象項目名】００１８
【補正方法】変更
【補正の内容】
【００１８】
建物基部１３は、図２および図３に示すように、柱脚主筋１５や異形鉄筋が配筋された鉄筋コンクリート製で建物基礎が構成され、各建物基部１３に埋設されるアンカーボルト１６は複数本、例えば４本ずつ突出している。アンカーボルト１６は、柱脚金物１４から柱脚ベースパック１７を貫いて突出し、締結ナット１８で締結される。締結ナット１８は、例えば、緩み止めを防ぐためのダブルナットで構成される。
【手続補正５】
【補正対象書類名】明細書
【補正対象項目名】００２４
【補正方法】変更
【補正の内容】
【００２４】
また、図１および図２に示すように、構造用鉄骨柱１２は建物各階の鉄骨柱エレメント１２ａ，１２ｂ，１２ｃの各上部側の直交する２側面または３側面に梁受け金物３０が溶接やボルト等の締結手段で予め工場で固定され、組み立てられる。梁受け金物３０は、図５に示すように構成され、構造用鉄骨柱１２の建物各階上部側側面に溶接やボルト締め等で固定されるベースプレート３１と、ベースプレート３１の下部あるいは底部から水平方向に延びるサポートプレート３２と、サポートプレート３２から立上がり、ベースプレート３１に沿って延びるガイドプレート３３とが互いに直交方向に交差して一体に構成される鋳造製品である。
【手続補正６】
【補正対象書類名】明細書
【補正対象項目名】００３１
【補正方法】変更
【補正の内容】
【００３１】
メイン梁４０と構造用鉄骨柱１２（１２ａ，１２ｂ，１２ｃ）の接合構造は、図７（Ａ），（Ｂ）および（Ｃ）に示すように組み付けられる。
【手続補正７】
【補正対象書類名】明細書
【補正対象項目名】００３４
【補正方法】変更
【補正の内容】
【００３４】
メイン梁４０は、その係合ガイド孔４４が梁受け金物３０のガイドピン３４に係合して案内されつつ、構造用鉄骨柱１２（ベースプレート３１）側に引き寄せられて落されることで、梁受け金物３０のサポートプレート３２上に当接して支持される。その際、メイン梁４０の端部底部にプレート受け溝４５が形成されており、メイン梁４０が梁受け金物３０上に当接して支持されるとき、メイン梁４０の底面が梁受け金物３０のサポートプレート３２の底面と面一となるように構成され、梁受け金物３０とメイン梁４０との接合構造の美感が保たれている。
【手続補正８】
【補正対象書類名】明細書
【補正対象項目名】００３９
【補正方法】変更
【補正の内容】
【００３９】
また、第１実施形態に用いられる軸組み構造の木造建築物１０では、柱脚金物１４、柱脚柱頭金物２２および梁受け金物３０に球状黒鉛鋳鉄（ダクタイル）等の鋳物材料で製作された鋳物製品や鉄鋼製品が使用される。
【手続補正９】
【補正対象書類名】図面
【補正対象項目名】図５
【補正方法】変更
【補正の内容】
【図５】
2018184743.tif 000022
【手続補正１０】
【補正対象書類名】図面
【補正対象項目名】図６
【補正方法】変更
【補正の内容】
【図６】
2018184743.tif 000023
【手続補正１１】
【補正対象書類名】図面
【補正対象項目名】図１４
【補正方法】変更
【補正の内容】
【図１４】
2018184743.tif 000024
【手続補正１２】
【補正対象書類名】図面
【補正対象項目名】図１６
【補正方法】変更
【補正の内容】
【図１６】
2018184743.tif 000025
【手続補正１３】
【補正対象書類名】図面
【補正対象項目名】図１９
【補正方法】変更
【補正の内容】
【図１９】
2018184743.tif 000026